(57)【要約】【課題】狭い場所や細かい部分を清掃しやすく、しかも清掃効果が低下した場合には、メラミン樹脂発泡体を含む新たな清掃シートを切断して古い清掃シートと交換することのできる経済的な清掃具の提供を目的とする。【解決手段】メラミン樹脂発泡体１２の片面に面ファスナーの一方１３が積層されて所望サイズに切断可能とされた清掃シート１１と、面ファスナーの他方３５が表面に設けられた清掃シート取付部３４を一端に有する柄３１とで構成され、前記清掃シート１１から所望サイズに切断された積層シート切断片１１Ｂが前記柄３１の清掃シート取付部３４に前記面ファスナーを介して取り付けられる。【選択図】        図１
2007029114.tif 000002
【特許請求の範囲】
【請求項１】
メラミン樹脂発泡体の片面に面ファスナーの一方が積層されて所望サイズに切断可能とされた清掃シートと、前記面ファスナーの他方が表面に設けられた清掃シート取付部を一端に有する柄とよりなり、
前記清掃シートから所望サイズに切断された積層シート切断片が前記柄の清掃シート取付部に前記面ファスナーを介して着脱されることを特徴とする清掃具。
【請求項２】
前記清掃シート取付部は、平板状からなると共に該清掃シート取付部の両面を覆って前記面ファスナーの他方が設けられていることを特徴とする請求項１に記載の清掃具。
【請求項３】
前記清掃シートにおける前記メラミン樹脂発泡体が圧縮された状態で塑性変形していることを特徴とする請求項１または２に記載の清掃具。
【請求項４】
前記清掃シートは、前記清掃シート取付部の幅と略等しい幅からなる長尺の巻物とされて箱に収容され、前記箱に形成された開口部から前記清掃シートの端部が引き出されて所望長さに切断可能とされていることを特徴とする請求項１から３の何れか一項に記載の清掃具。
【発明の詳細な説明】
【技術分野】
【０００１】
本発明は、メラミン樹脂発泡体を柄の先端に着脱可能な清掃具に関する。
【背景技術】
【０００２】
従来、メラミン樹脂発泡体は、清掃面に載置して擦ることにより清掃効果の得られることが知られており、清掃作業が容易であるため、クリーナーとして用いられている。
【０００３】
しかし、従来のメラミン樹脂発泡体を用いるクリーナーは、狭い場所や細かい部分についてはクリーナーを配置し難く、効率よく清掃するのが難しい問題がある。また、メラミン樹脂発泡体は材質的な脆さがあるため、清掃面を擦って清掃するにつれ、発泡体の腰が無くなり、その結果強度が無くなって耐久性に劣る問題もある。
【０００４】
【特許文献１】特開２００４−２０２１４９号公報
【特許文献２】特開２００２−１０８５４１号公報
【発明の開示】
【発明が解決しようとする課題】
【０００５】
本発明は前記の点に鑑みなされたものであって、狭い場所や細かい部分を清掃しやすく、しかも清掃効果が低下した場合には、新たな清掃シートを切断して古い清掃シートと交換することのできる経済的な清掃具の提供を目的とする。
【課題を解決するための手段】
【０００６】
請求項１の発明は、メラミン樹脂発泡体の片面に面ファスナーの一方が積層されて所望サイズに切断可能とされた清掃シートと、前記面ファスナーの他方が表面に設けられた清掃シート取付部を一端に有する柄とよりなり、前記清掃シートから所望サイズに切断された積層シート切断片が前記柄の清掃シート取付部に前記面ファスナーを介して着脱されることを特徴とする。
【０００７】
請求項２の発明は、請求項１において、前記清掃シート取付部が、平板状からなると共に該清掃シート取付部の両面を覆って前記面ファスナーの他方が設けられていることを特徴とする。
【０００８】
請求項３の発明は、請求項１または２において、前記清掃シートにおける前記メラミン樹脂発泡体が圧縮された状態で塑性変形していることを特徴とする。
【０００９】
請求項４の発明は、請求項１から３の何れか一項において、前記清掃シートが、前記清掃シート取付部の幅と略等しい幅からなる長尺の巻物とされて箱に収容され、前記箱に形成された開口部から前記清掃シートの端部が引き出されて所望長さに切断可能とされていることを特徴とする。
【発明の効果】
【００１０】
請求項１から４の発明における清掃具によれば、柄を持って使用することができるため、狭い場所や細かい部分にも柄の一端の清掃シート取付部を挿入配置して清掃を容易に行うことができる。また、柄の清掃シート取付部に面ファスナーによって清掃シート切断片が着脱されるため、メラミン樹脂発泡体の清掃効果が低下した場合には、容易に清掃シート切断片を交換することができ、常に良好な清掃効果を得ることができる。しかも、清掃シートを所望量切断して交換することができるため経済的である。
【００１１】
それらに加えて、請求項２の発明によれば、清掃シート取付部の両面を覆って面ファスナーの他方が設けられているため、清掃シート取付部の両面に清掃シートを取り付けることができ、清掃作業時に清掃シート取付部の片側で清掃効果が低下しても、清掃シート取付部を反対にして清掃を続けることができ、効率的に清掃を続けることができる。
【００１２】
また、請求項３の発明によれば、清掃シートにおけるメラミン樹脂発泡体が圧縮された状態で塑性変形しているため、メラミン樹脂発泡体は圧縮により密度が高くなって耐摩耗性が向上し、清掃シートの交換間隔を長くすることができる。
【００１３】
さらに請求項４の発明によれば、清掃シートが、清掃シート取付部の幅からなる長尺の巻物とされて箱に収容され、箱に形成された開口部から清掃シートの端部が引き出されて所望長さに切断可能とされているため、清掃シートを保管し易く、しかも、柄の清掃シート取付部に対して清掃シート切断片の交換等の際には、清掃シートの切断が容易であると共に、あらかじめ清掃シートが清掃シート取付部の幅とされているため、箱から清掃シートを引き出して長さを決めて切断するだけでよく、作業が容易である。
【発明を実施するための最良の形態】
【００１４】
以下本発明の実施形態を詳細に説明する。図１は本発明の一実施形態に係る清掃具の斜視図、図２は同実施形態における清掃シート切断後の状態を示す斜視図、図３は同実施形態において清掃シート切断片を取り付けた状態を示す斜視図、図４は本発明における他の実施形態を示す斜視図である。
【００１５】
図１に示す実施形態の清掃具は、箱１５に収容された清掃シート１１と、柄３１とよりなり、清掃具セットとも称することができる。清掃シート１１は、メラミン樹脂発泡体１２の片面に面ファスナーの一方１３が積層されて所望サイズに切断可能とされている。
【００１６】
前記メラミン樹脂発泡体１２は、加熱圧縮されて塑性変形した状態とされ、圧縮された状態で固定されているものが、より好ましい。このようにメラミン樹脂発泡体１２が圧縮された状態で塑性変形していることにより、前記メラミン樹脂発泡体１２における耐摩耗性を向上させることができる。前記メラミン樹脂発泡体１２の圧縮程度は、非圧縮状態のメラミン樹脂発泡体の厚み（基厚）に対して、圧縮後の厚みを１／□〜１／□程度とするのが、良好な清掃効果及び耐摩耗性向上が得られる点で好ましい。
【００１７】
前記面ファスナーは、公知の構造からなるもので、例えば、繊維等をループ状等とした雌側係合面を有するもの（雌側の面ファスナー）と、前記ループ状等の雌側係合面に係合可能な突起等からなる雄側係合面を有するもの（雄側の面ファスナー）で構成され、前記メラミン樹脂発泡体１２の片面に積層されている面ファスナーの一方１３は、前記雌側係合面を有するもの（雌側の面ファスナー）あるいは前記雄側係合面を有するもの（雄側の面ファスナー）の何れかで構成される。より好ましくは、前記メラミン樹脂発泡体１２に積層される面ファスナーの一方１３を、繊維のループ状等からなる雌側係合面を有するもの（雌側の面ファスナー）とし、後述する柄３１の清掃シート取付部３４に設けられている面ファスナーの他方３５については、突起等からなる雄側係合面を有するもの（雄側の面ファスナー）とするのが好ましい。これは、柄３１の清掃シート取付部３４に設けられている面ファスナーの他方３５は長く使用されるものであるため、面ファスナーにおける耐久性の高い側、すなわち突起等からなる雄側係合面を有するものとし、一方、所定期間で交換される清掃シート１１については、係合の繰り返しによってループ状等の繊維がほつれやすく、係合力低下のおそれがある雌側係合面を有するものとし、清掃シートの交換繰り返しによっても柄３１の清掃シート取付部３４と清掃シート１１（後述の清掃シート切断片１１Ｂ）との係合を、より良好に行えるようにするためである。
【００１８】
前記メラミン樹脂発泡体１２と面ファスナーの一方１３との積層は、接着により行われ、さらに剥離強度を高めるためには、熱硬化性樹脂による熱圧成形による接着が好ましい。具体的には、イソシアネートプレポリマーをメラミン樹脂発泡体１２にロールコーティングし、この上にイソシアネートプレポリマーに対する触媒等をスプレー塗布した後、前記面ファスナーの一方１３を積層し、加熱圧縮することにより行うことができる。また、前記加熱圧縮時に、前記メラミン樹脂発泡体１２を塑性変形させて圧縮状態を固定するのが作業性の点で好ましい。なお、前記熱硬化性樹脂はイソシアネートプレポリマーに限定されず、その他の何れのものでもよく、例えばホットメルト接着剤等であってもよい。
【００１９】
前記清掃シート１１は、柄３１の清掃シート取付部３４の幅ｄと略等しい幅ｄ１からなる長尺の巻物１１Ａとされて箱１５に収容されている。前記箱１５は、側面に前記清掃シート１１を引き出すこと可能な開口部１６が形成され、前記開口部１６の内縁に清掃シート切断刃１７が設けられている。そして、前記箱１５の開口部１６から前記清掃シート１１の端部１４が引き出されて前記清掃シート切断刃１７によって所望長さに切断可能とされている。
【００２０】
前記柄３１は、一端が清掃シート取付部３４とされ、他部が棒状の把持部３２とされている。前記清掃シート取付部３４は、平板状からなると共に該清掃シート取付部３４の両面３４ａ，３４ｂ及び先端３４ｃを覆って前記面ファスナーの他方３５が設けられている。前記清掃シート取付部３４に設けられる面ファスナーの他方３５は、前記の理由から、突起等からなる雄側係合面を有するもの（雄側の面ファスナー）が好ましい。なお、本実施例では、前記柄３１の寸法は、全長が約１５０ｍｍ、把持部３２の長さが約１２０ｍｍ、把持部３２の断面寸法が７×７ｍｍ、清掃シート取付部３４の長さが約３０ｍｍ、清掃シート取付部３４の幅ｄが約２０ｍｍ、清掃シート取付部３４の厚みが約３ｍｍである。
【００２１】
前記柄３１の清掃シート取付部３４に対する清掃シート１１の取付は、次のようにして行われる。まず、前記箱１５の開口部１６から前記清掃シート１１の端部１４が引き出されて前記清掃シート切断刃１７によって所望長さ、具体的には前記柄３１の清掃シート取付部３４の両面を覆うことのできる長さに切断される。その際の切断は、前記清掃シート切断刃１７に前記清掃シート１１を当てて清掃シート１１を切断する手作業により行うことができる。次に、図２及び図３に示すように、切断によって得られた清掃シート切断片１１Ｂは、前記メラミン樹脂発泡体１２を外側にし、前記面ファスナーの一方１３を内側にして、前記清掃シート取付部３４を巻くように清掃シート取付部３４の両面に積層される。これにより、前記清掃シート取付部３４における面ファスナーの他方３５と前記清掃シート切断片１１Ｂの面ファスナーの一方１３が係合し、前記清掃シート切断片１１Ｂが清掃シート取付部３４に脱着可能に設けられる。
【００２２】
このように前記清掃シート切断片１１Ｂが前記清掃シート取付部３４に取り付けられた後、前記柄３１の把持部３２を持って、前記清掃シート取付部３４の清掃シート切断片１１Ｂにおけるメラミン樹脂発泡体１２を清掃面に当てて擦ることにより、清掃が行われる。その際、前記柄３１の把持部３２を持って清掃するため、狭い場所や細かい部分に対しても柄３１の一端の清掃シート取付部３４を挿入配置することができ、前記清掃シート取付部３４に設けられている清掃シート切断片１１Ｂのメラミン樹脂発泡体１２により容易に清掃することができる。さらに、前記清掃シート切断片１１Ｂによって前記清掃シート取付部３４の先端３４ｃが覆われているために、狭く、かつ奥まった場所の壁面なども前記清掃シート取付部先端３４ｃの前記清掃シート切断片１１Ｂによって効率よく清掃することができる。
【００２３】
一方、前記柄３１の清掃シート取付部３４に設けられている前記清掃シート切断片１１Ｂを交換する際には、前記清掃シート取付部３４に装着されている前記清掃シート切断片１１Ｂを引っ張って剥がし、前記清掃シート１１から新たに切断した清掃シート切断片を前記と同様にして前記清掃シート取付部３４に取り付ける。
【００２４】
なお、前記清掃シート１１は、巻物とされて箱に収容されているものに代えて、図４に示す他の実施形態における清掃シート１１Ｃのように、前記柄３１の清掃シート取付部３４よりも大きいサイズのシート状として、はさみ等により所要サイズに切断可能なものとしてもよい。さらに、前記清掃シート１１Ｃには予めミシン目などからなる切断線を形成しておいてもよい。
【図面の簡単な説明】
【００２５】
【図１】本発明の一実施形態に係る清掃具の斜視図である。
【図２】同実施形態における清掃シート切断後の状態を示す斜視図である。
【図３】同実施形態において清掃シート切断片を取り付けた状態を示す斜視図である。
【図４】本発明における他の実施形態を示す斜視図である。
【符号の説明】
【００２６】
１１  清掃シート
１１Ａ  清掃シートの巻物
１１Ｂ  清掃シート切断片
１２  メラミン樹脂発泡体
１３  面ファスナーの一方
１５  箱
１６  開口部
１７  清掃シート切断刃
３１  柄
３４  清掃シート取付部
３５  面ファスナーの他方
【図１】
2007029114.tif 000003
【図２】
2007029114.tif 000004
【図３】
2007029114.tif 000005
【図４】
2007029114.tif 000006